(57)【要約】【課題】工場生産の後から販売に至る保存期間である初期シール時にも高い密封性を保持し、併せて使用時も高い密封性が得られる包装用容器を提案する。【解決手段】キャップ５の天板８の内面８Ａにインナーリング９を一体に備え、かつ、このインナーリング９の手前側に挿脱自在なダミーシール１０を備えたキャップ５が、先端３Ｃにインナーシール７を接着した容器口部３に嵌脱自在に装着されている。また、インナーリング９の内側には前記ダミーシール１０に当接する当りリブ１４が設けられている。【選択図】  図１
2008056319.tif 000002
【特許請求の範囲】
【請求項１】
天板の内面にインナーリングを一体に備え、かつ、このインナーリングの手前側に挿脱自
在なダミーシールを備えたキャップが、先端にインナーシールが接着されている容器口部
に嵌脱自在に装着されている包装用容器。
【請求項２】
キャップの天板の内面で、前記インナーリングの内側に、このインナーリングの突出寸法
と同等若しくは長目に寸法設定されたダミーシールへの当りリブが設けられている請求項
１記載の包装用容器。
【請求項３】
キャップの周側壁内面には前記ダミーシールの係止突起が設けられている請求項１又は請
求項２のいずれかに記載の包装用容器。
【請求項４】
容器口部の先端外周縁には、ダミーシールの周縁を係止するための係止出っ張りが形成さ
れている請求項１〜３のいずれかに記載の包装用容器。
【発明の詳細な説明】
【技術分野】
【０００１】
本発明は、例えばコーヒーやウエットティッシュ、更には化粧パフなどの、開封する前
も開封した後も高い密封性が必要な、特に開封する前には、アルミ構成フィルムで完全密
封する必要性の高い内容物を収納するために採用される包装用容器に関する。
【背景技術】
【０００２】
従来より、この種の包装用容器としては、容器口部に接着されたインナーシール材を口
部から剥がし、その後キャップ内に装着されているパッキン材などで口部を押さえて密封
性を保つものがあった。また、他の手法としてキャップに設けたインナーリングを口部に
嵌入させることで密封性を保つものがある。
【特許文献１】実用公開平６−３００６７号公報
【特許文献２】特許公開２００１−１９２０４７号公報
【特許文献３】特許公開２００５−３５００９４号公報
【発明の開示】
【発明が解決しようとする課題】
【０００３】
しかし、このような従来の手段の内、前者では、インナーシールの剥がし残しや粘着剤
の残り等の残渣が容器の口部先端に付着して凹凸ができ、平滑面にはなっていないため、
良好な密封を阻害する問題がある。殊に、開封してからは、化粧品容器程度の密封性が必
要なもので、インナーシール材を口部から剥がし、後をパッキン材で押さえる程度の処理
の仕方では、内容物を所期の品質を保って長期間保存することは到底不可能であった。ま
た、後者のインナーリングを採用するものは、基本的には構造が複雑になり、製造コスト
が嵩むという問題点がある。
【０００４】
本発明は、この従来の各種の構造を更に種々検討した結果、この種包装用容器では、工
場生産され、最終消費者の手に渡って、容器が開放されるまでは、製造コストは言うまで
もないが、最小限、内容物の成分の一部が揮散してしまったり、成分バランスが損なわれ
てしまうことは避けねばならいと言う要求があった。品質を高度に保つ意味からも絶対に
クリアーせねばならない課題のあることが判明した。
【０００５】
そこで、この要望を踏まえて更に検討を重ねた結果、従来のインナーリングによる密封構
造では、工場生産時からインナーリングは密封作用を司っているので、消費者の手に渡っ
た時点では、その反発力に経年劣化が生じ、高い密封性を期待し難いことが分かった。そ
の結果、工場生産の後から販売に至る間にアルコール成分を含有する商品は含まれる成分
の一部がどうしても徐々に揮散してしまい、また、成分バランスの必要な商品もそのバラ
ンスを損なってしまい、生産時の望ましい品質の確保が困難になることが分かった。これ
に反して、容器口部をインナーシール材で密封する構造では、含まれる成分の揮散が殆ど
なく、改めてこの手法の優位性を確認した。
【０００６】
そこで、本発明は以上の技術的な事項を踏まえた結果、基本的にはこのインナーシール
により密封すると言う手法を採用して、工場生産の後から販売に至る保存期間である初期
シール時にも高い密封性を保持し、併せて使用時も高い密封性が得られる包装用容器を提
案することを目的とする。
【課題を解決するための手段】
【０００７】
以上の技術的な課題を解決するために、本発明の請求項１に係る包装用容器は、天板の
内面にインナーリングを一体に備え、かつ、このインナーリングの手前側に挿脱自在なダ
ミーシールを備えたキャップが、先端にインナーシールが接着されている容器口部に嵌脱
自在に装着されている。
【０００８】
このように、インナーリングを備え、その手前にダミーシールを装着させたキャップを
、先端にインナーシールが接着されている容器口部に装着した本発明の包装用容器は、工
場生産の後から販売に至る保存期間では、図１、２に示されるように、ダミーシールがイ
ンナーシールの上面に密着するようにしてキャップを口部に装着される。ダミーシールの
存在がインナーリングを工場生産時の清潔さを保ったままで、つまりバージンのままで保
護する上に、キャッピング時にインナーシールに面で重合するので、その抵抗により、必
要以上にキャップをねじ込んでしまい、インナーシールを不用意に損傷することが無い。
【０００９】
消費者が使用するときは、キャップを外し、ダミーシール共々インナーシールを容器の
口部から剥ぎ取り、適宜内容物を取り出して使用する。使用後にキャッピングするが、ダ
ミーシールとインナーシールは既に廃棄したので、そのままキャップを口部にねじ込む。
すると、キャップに設けたインナーリングが初めて容器本体口部内に嵌入されて行き、面
の荒れのないこの口部内周面をシールすることになる。爾後は、インナーリングが口部の
密封を行う。工場生産当初からインナーリングで容器口部を密封する従来のやり方では、
使用時には既にインナーリングの反発力が弱まっている場合があるが、本発明では、この
ようなものとは違って、最初の使用の後、始めてキャッピンキグされてそのシール作用を
発揮するので、インナーリングの反発力は大変高い。
【発明の効果】
【００１０】
したがって、この発明は以下の効果を奏する。
本発明の請求項１に係る包装用容器は、従来品のように、口部の密封を司るインナーシ
ールを採用するのであるが、最初の使用以降の容器口部の密封には、インナーリングを備
えたキャップを採用することによって、面の荒れのないこの口部内周面をインナーリング
でシールできるので、高い密封性が得られるようになった。すなわち、インナーシールを
剥がして容器を開封した際、口部先端に残るインナーシールの残り滓や残存接着剤による
凹凸の存在にかかわらず、つまり平滑な面が存在しなくても、これには拘らず、確実で高
い密封性の確保が可能になった。しかも、インナーリングは最初の使用の後、始めてキャ
ッピンキグされてそのシール作用を発揮するものであるから、高い反発力を保って、一層
高い密封性を発揮する。
【００１１】
更に、ダミーシールを採用することによって、インナーリングは工場生産時の清潔さを
保ったままで、つまりバージンのままで保護されるので、極めて衛生的であり、しかも工
場生産時のキャッピングには、このダミーシールがインナーシールに面で重合するので、
その抵抗により、必要以上にキャップをねじ込み、インナーシールを不用意に損傷するこ
とが無く、不用意に密封性を阻害してしまうおそれもない。
このように、本発明によれば、初期シール時と、リユース（使用時）の両方で高い密封
性を得ることが可能になった。
【００１２】
本発明は以上の構成において、請求項２に記載のように、キャップの天板の内面で、イ
ンナーリングの内側には、このインナーリングの突出寸法と同等若しくは長目に寸法設定
されたダミーシールへの当りリブが設けられているのが望ましい。
インナーリング並びに当りリブ若しくは当りリブにダミーシールを介して回転抵抗力が
負荷されると共に、インナーリング並びに当りリブ若しくは当りリブがダミーシールに当
接してそれ以上の押し込み力が分散され、結果として必要以上のキャップの螺進が予防さ
れ、併せて過剰な螺進によってインナーシール並びにダミーシールの二つのシールが不用
意に損傷され、密封性が阻害されるおそれもなくなるからである。また、インナーリング
が当りリブよりも短い場合には、キャッピング時に先端先細りのインナーリングの先端で
不測にダミーシールやインナーシールを損傷する事態をより一層的確に防止でき、また、
キャップの回転抵抗を少なくできるので、より望ましい。
【００１３】
また、請求項３に記載のように、キャップの周側壁内面には前記ダミーシールの係止突
起が設けられるのが望ましい。
ダミーシールがキャップから不用意に離脱するのをうまく防止し、インナーリングの所
期の高いバージン性を保持することができるからである。
【００１４】
また、請求項４に記載のように、容器口部の先端外周縁には、ダミーシールの周縁を係
止するための係止出っ張りが形成されるのが望ましい。
最初の使用に当たって、キャップを外す動作に伴って、ダミーシールを自動的に、しか
も簡便にキャップから離脱できるからである。この場合、前記キャップに設けられた係止
突起によるダミーシールの係合力よりもこの係止出っ張りによる係合力の方が大きいか或
いは同等程度である必要がある。しかし、例えばダミーシールの周縁部などにキャップか
ら掻き出すための切欠きなどを設けても良く、この場合には両者の係合力の因果関係は無
視できる。
【発明を実施するための最良の形態】
【００１５】
以下、発明を実施するための最良の形態を示す。しかし、本発明の範囲はかかる実施の
形態に制限されるものではない。
【００１６】
本発明に係る包装用容器を化粧クリーム容器に適用した場合について以下説明する。
【００１７】
先ず、本発明の化粧クリーム容器１は、図１並びに図２に示すように、化粧クリームを
収容する容器本体２を備え、その口部３の外周面３Ａに設けられた雄ねじ４にキャップ５
をキャッピングできるようになっている。口部３の内周面３Ｂは凹凸のない平滑面に形成
されている。
なお、図中６は、容器本体２の外周に一体に設けられる化粧用のスカート壁である。
【００１８】
この容器本体２の口部３の先端（上端）３Ｃにはインナーシール７がその周縁部で接着
されて、容器本体２の内部の気密を保っている。このインナーシール７は、例えば従来か
ら広く一般に採用されたものでよく、アルミや合成樹脂製のフイルム或いはこれらの積層
フイルムで良い。内容物を容器本体２に収納した後に、口部３に被され、この口部３の先
端３Ｃに、例えば高周波シールや適宜の接着剤を用いて接着される。
【００１９】
キャップ５には、その天板８の内面８Ａから下方に向かって一体にインナーリング９が
突設されている。このインナーリング９は、図示するように、外周面の上下方向中間部分
を外方に膨出させた後、下端に向かうにしたがって徐々に先細り状に形成され、前記口部
３の内周面３Ｂにしっかりと密着する（図３、４参照）ような形状に形成されている。
【００２０】
また、キャップ５の内方にはダミーシール１０が装着されている。このダミーシール１
０は比較的硬い剛性のある素材を用いている。具体的には、少なくとも曲率１２００Ｍｐ
ａ以上、厚みは１．０ｍｍ以上であるのが望ましい。
【００２１】
キャップ５の内周壁１１で雌ねじ１２の上端よりもやや上方位置に、内方へ突設する突
条からなる係止突起１３と、更にその上方、ダミーシール１０の厚み寸法を隔ててダミー
シール１０の保持リブ１３Ａが夫々一体に設けられ、得られた凹入部１３Ｂで前記ダミー
シール１０を支える。この保持リブ１３Ａのキャップ内方への張り出し寸法は、前記係止
突起１３の１．５〜２．５倍程に設定されている。ダミーシール１０を的確に保持するこ
とと、下方への押圧力を的確に作用るためである。これら係止突起１３並びに保持リブ１
３Ａは、全周にわたって設けられても良く、図示するように断続的に設けられても良い。
要するに、不用意な外力が付加されても、簡単にはキャップ５からこのダミーシール１０
が離脱しない程度の係止が行えればよい。
【００２２】
また、前記インナーリング９の内側で、キャップ５の天板８の内面８Ａから下方に向か
って一体に当りリブ１４が突設されている。この当りリブ１４は、インナーリング９の突
出寸法と同等に設定されている。前記インナーリング９とこの当りリブ１４との突出寸法
は、前記ダミーシール１０が前記係止突起１３に係止された状態にあるときに、丁度夫々
の先端がダミーシール１０の天板内面８Ａ側の表面に当接するのが望ましい。それ以上の
突出量であると、口部３にキャップ５を螺着したときにこのダミーシート１０を押し過ぎ
て、これを不用意に傷めるおそれがあるので、この不測の事態を未然に防止するためであ
る。
【００２３】
また、前記容器本体２の口部３の外周面３Ａで、先端３Ｃから少し下位の位置にダミー
シール１０の外周縁を下方に巻き込んで係止するための係止出っ張りの一例であるアンダ
ーカット部１５が設けられている。キャップ５を最初に外して使用する際に、このアンダ
ーカット部１５によってダミーシール１０をキャップ５から容易に離脱させて容器本体２
の口部３側に止まらせるためである。したがって、前記キャップ５に設けられた前記凹入
部１３Ｂによるダミーシール１０の係止力よりもこのアンダーカット部１５による係止力
の方が大きいことが必要がある。
【００２４】
しかし、例えばダミーシール１０の周縁部などにキャップ５からこのダミーシール１０
を掻き出すための切欠き（図外）などを設けても良く、この場合には両者の上記の係止力
の因果関係は無視できる。
【００２５】
更に、前記インナーリング９の外側で、前記キャップ５の天板８の内面８Ａから下方に
向かって一体に第二のインナーリング１６が突設されている。この第２のインナーリング
１６は、消費者が最初にキャップ５を開けてインナーシール７とダミーシール１０とを取
り除いた後に再びキャッピングするときに、つまりリユースの際に、口部３の先端３Ｃ上
面に密着当接し、この口部３の先端３Ｃ上面のシールを行う。
【００２６】
以上のような容器本体２並びにキャップ５をもった化粧クリーム容器１は、先ず工場生
産段階で、容器本体２内に化粧クリーム（図外）が充填され、口部３の先端３Ｃにインナ
ーシール７が接着されて密封され、次いでダミーシール１０を前記凹入部１３Ｂで係止し
て内装したキャップ５がこの口部３に螺着される。このキャップ５の螺着によって、イン
ナーシール７の上面にダミーシール１０が重合密着し、密封性を一層高める。
【００２７】
キャップ５の螺着度合いは、このインナーシール７の上面にダミーシールが密着する段
階で停止される。キャップ５の螺着の終了段階ではインナーリング９並びに当りリブ１４
に前記ダミーシール１０を介して回転抵抗力が負荷されると共に、これらインナーリング
９並びに当りリブ１４がダミーシール１０に当接して、押し込み力が分散され、結果とし
て必要以上のキャップ５の螺進が予防され、併せて過剰な螺進によって二つのシールが不
用意に損傷され、密封性が阻害されるおそれがなくなる。
【００２８】
図１、２に示されるように、前記アンダーカット部１５にインナーシール７並びにダミ
ーシール１０の外周縁を係止させるには、先ず、インナーシール７並びにダミーシール１
０の径をキャップ５の内径よりも長い寸法に設定しておく。ダミーシール１０を、前記係
止突起１３を超えて凹入部１３Ｂに位置合わせをして嵌入保持させ、次いでキャップ５を
上方から螺進させることによって、前記保持リブ１３Ａによってこのダミーシール１０の
外周縁を下方へ押圧して、最終的にアンダーカット部１５にこのダミーシール１０そして
インナーシール９夫々の周縁部を係入させて係止することができる。つまり、インナーシ
ール７を巻き込みながらキャッピングする。係止突起１３と保持リブ１３Ａによるアンダ
ーカット（凹入部１３Ｂ）よりも、口部３のアンダーカット１５の保持力のほうが強く構
成されているので、最初に使用するとき、キャップ５を開栓すると、ダミーシール１０は
容器本体２側に残ることになる。この容器本体２側に残ったダミーシール１０は、これを
外す時にインナーシール７の端を共連れさせて、容易に捲くり上げ易く、インナーシール
７を口部３から剥がす作業が容易になる。
【００２９】
尚、このアンダーカット部１５への折り込み係止される対象は、ダミーシール１０のみ
でも良く、逆にインナーシール７のみでも良い。インナーシール７のみの場合には、ダミ
ーシール１０の直径をこのインナーシール７と同等或いはやや短くしておけば良い。
【００３０】
次に、この化粧クリーム容器１を開封するには、先ずキャップ５を開けて口部３を開放
する。このとき、口部３上には、アンダーカット部１５の働きで、ダミーシール１０も残
存することになる。したがって、このダミーシール１０共々インナーシール７を口部３か
ら剥離する。
【００３１】
尚、ダミーシール１０のキャップ５の天板８側の表面に、例えば「捨てる」と印字する
こともできる。使用の便に供するためである。
【００３２】
剥離後の口部３の先端３Ｃにはこのインナーシール７や接着剤の残渣が付着していて、
表面は凹凸があって平滑面ではない。この状態で、従来のように、パッキン材などを内装
したキャップで封止しても、望ましい密封性を得ることは困難であった。しかし、本発明
では、図３，４に示すように、インナーシール７や接着剤の残渣の影響を全く受けない口
部３の内周面３Ｂにインナーリング９を嵌入して容器の封止を行うので、高い密封性が得
られる。しかも、このインナーリング９は、消費者が初めて封止するまでは、ダミーシー
ル１０で保護されて、大変衛生的に保たれる。しかも、消費者が初めて封止するときに初
めてその反発力を作用させるものであるから、工場生産の段階からインナーリング９で容
器を封止する従来のものとも違って、この反発力に経年劣化が見られない。したがって所
期の望ましい高い反発力が得られ、高い密封性が得られる。併せて、第２インナーリング
１６によって口部３の先端３Ｃがシールされるため、二重のシール効果が発揮され、一層
高い密封性が期待できる。
【００３３】
このように、本発明に係る包装用容器では、初期シール（工場生産時から消費者の手に
渡るまでの間のシール）時と使用時（リユース）のシールの両方で高い密封性を得ること
ができる。また、ダミーシール１０を採用することによって、特にインナーシール７に高
品質の素材、機能を備えるものを採用しなくても初期の望ましい密封性が得られる。更に
は、初期シール時にインナーリング９を用いず、リユース時に初めてこれを使用するので
、インナーリング９の高い反発力に伴う高い密封性が得られる。
【００３４】
次に、図５に示す構造は、インナーリング９の変形例を示し、その突出量を前記当りリ
ブ１４の突出寸法よりも短くし、先端が常時ダミーシール１０のキャップ５の天板内面８
Ａ側の表面から離間Ｌしているように構成してある。一般にインナーリング９の先端は先
細りに形成される場合が多いため、キャッピング時にその先端で不測にダミーシール１０
やインナーシール７を損傷する事態をより一層的確に防止するためである。また、キャッ
プ５の回転抵抗を少なくする上でも有用である。
【００３５】
尚、この変形例に示されるインナーリング９の前記離間Ｌする部位が周方向に所定間隔
置きに設けられるものであっても良い。この場合、他の部位は、図１、２に示すように、
ダミーシール１０の天板内面８Ａ側の表面に当接する長さ寸法に形成される。
【００３６】
また、図例では断面円形の容器を例示したが、その形状は円形のものに限定されること
なく、方形、矩形、更には楕円形など種々の形状が採用される。また、インナーリング９
の形状も図示されたものに限定されることなく、所期の密封性を高めるものであれば如何
なる形状であっても良いことはいうまでもない。
【００３７】
更に、以上本発明の包装用容器は、化粧クリーム容器に採用した例を示したが、その他
にも例えばコーヒーやアルコール成分を含むウエットティッシュ、化粧パフ、顔面パフ、
更には成分を重要視する化粧水などの、開封する前も開封した後も高い密封性が必要な、
特に開封する前には、アルミ構成フィルムで完全密封する必要性の高い内容物を収納する
ために採用される包装用容器にも適用できる。
【図面の簡単な説明】
【００３８】
【図１】本発明に係る包装用容器の実施例を示し、使用前の状態を、一部を切欠いて断面表示した正面図である。
【図２】図１の要部の拡大断面図である。
【図３】使用後の状態を、一部を切欠いて断面表示した正面図である。
【図４】図２の要部の拡大断面図である。
【図５】インナーリングの変形例を示す要部の拡大断面図である。
【符号の説明】
【００３９】
１…化粧クリーム容器
２…容器本体
３…口部
３Ｂ…内周面
３Ｃ…先端
５…キャップ
７…インナーシール
８…天板
９…インナーリング
１０…ダミーシール
１３…係止突起
１４…当りリブ
１５アンダーカット
【図１】
2008056319.tif 000003
【図２】
2008056319.tif 000004
【図３】
2008056319.tif 000005
【図４】
2008056319.tif 000006
【図５】
2008056319.tif 000007
【手続補正書】
【提出日】平成18年10月5日(2006.10.5)
【手続補正１】
【補正対象書類名】明細書
【補正対象項目名】全文
【補正方法】変更
【補正の内容】
【発明の詳細な説明】
【技術分野】
【０００１】
本発明は、例えばコーヒーやウエットティッシュ、更には化粧パフなどの、開封する前も開封した後も高い密封性が必要な、特に開封する前には、アルミ構成フィルムで完全密封する必要性の高い内容物を収納するために採用される包装用容器に関する。
【背景技術】
【０００２】
従来より、この種の包装用容器としては、容器口部に接着されたインナーシール材を口部から剥がし、その後キャップ内に装着されているパッキン材などで口部を押さえて密封性を保つものがあった。また、他の手法としてキャップに設けたインナーリングを口部に嵌入させることで密封性を保つものがある。
【特許文献１】実用公開平６−３００６７号公報
【特許文献２】特許公開２００１−１９２０４７号公報
【特許文献３】特許公開２００５−３５００９４号公報
【発明の開示】
【発明が解決しようとする課題】
【０００３】
しかし、このような従来の手段の内、前者では、インナーシールの剥がし残しや粘着剤の残り等の残渣が容器の口部先端に付着して凹凸ができ、平滑面にはなっていないため、良好な密封を阻害する問題がある。殊に、開封してからは、化粧品容器程度の密封性が必要なもので、インナーシール材を口部から剥がし、後をパッキン材で押さえる程度の処理の仕方では、内容物を所期の品質を保って長期間保存することは到底不可能であった。また、後者のインナーリングを採用するものは、基本的には構造が複雑になり、製造コストが嵩むという問題点がある。
【０００４】
本発明は、この従来の各種の構造を更に種々検討した結果、この種包装用容器では、工場生産され、最終消費者の手に渡って容器が開放されるまでは、製造コストは言うまでも無いが、最小限、内容物の成分の一部が揮散してしまったり、成分バランスが損なわれてしまうことは避けねばならいと言う要求があった。品質を高度に保つ意味からも絶対にクリアーせねばならない課題のあることが判明した。
【０００５】
そこで、この要望を踏まえて更に検討を重ねた結果、従来のインナーリングによる密封構造では、工場生産時からインナーリングは密封作用を司っているので、消費者の手に渡った時点では、その反発力に経年劣化が生じ、高い密封性を期待し難いことが分かった。その結果、工場生産の後から販売に至る間にアルコール成分を含有する商品は含まれる成分の一部がどうしても徐々に揮散してしまい、また、成分バランスの必要な商品もそのバランスを損なってしまい、生産時の望ましい品質の確保が困難になることが分かった。これに反して、容器口部をインナーシール材で密封する構造では、含まれる成分の揮散が殆どなく、改めてこの手法の優位性を確認した。
【０００６】
そこで、本発明は以上の技術的な事項を踏まえた結果、基本的にはこのインナーシールにより密封すると言う手法を採用して、工場生産の後から販売に至る保存期間である初期シール時にも高い密封性を保持し、併せて使用時も高い密封性が得られる包装用容器を提案することを目的とする。
【課題を解決するための手段】
【０００７】
以上の技術的な課題を解決するために、本発明の請求項１に係る包装用容器は、天板の内面にインナーリングを一体に備え、かつ、このインナーリングの手前側に挿脱自在なダミーシールを備えたキャップが、先端にインナーシールが接着されている容器口部に嵌脱自在に装着されている。
【０００８】
このように、インナーリングを備え、その手前にダミーシールを装着させたキャップを、先端にインナーシールが接着されている容器口部に装着した本発明の包装用容器は、工場生産の後から販売に至る保存期間では、図１、２に示されるように、ダミーシールがインナーシールの上面に密着するようにしてキャップを口部に装着する。ダミーシールの存在がインナーリングを工場生産時の清潔さを保ったままで、つまりバージンのままで保護する上に、キャッピング時にインナーシールに面で重合するので、その抵抗により、必要以上にキャップをねじ込んでしまい、インナーシールを不用意に損傷することが無い。
【０００９】
消費者が使用するときは、キャップを外し、ダミーシール共々インナーシールを容器の口部から剥ぎ取り、適宜内容物を取り出して使用する。使用後にキャッピングするが、ダミーシールとインナーシールは既に廃棄したので、そのままキャップを口部にねじ込む。すると、キャップに設けたインナーリングが初めて容器本体口部内に嵌入されて行き、面の荒れのないこの口部内周面をシールすることになる。爾後は、インナーリングが口部の密封を行う。工場生産当初からインナーリングで容器口部を密封する従来のやり方では、使用時には既にインナーリングの反発力が弱まっている場合があるが、本発明では、このようなものとは違って、最初の使用の後、始めてキャッピングされてそのシール作用を発揮するので、インナーリングの反発力は大変高い。
【発明の効果】
【００１０】
したがって、この発明は以下の効果を奏する。
本発明の請求項１に係る包装用容器は、従来品のように、口部の密封を司るインナーシールを採用するのであるが、最初の使用以降の容器口部の密封には、インナーリングを備えたキャップに採用したことによって、面の荒れのないこの口部内周面をインナーリングでシールできるので、高い密封性が得られるようになった。すなわち、インナーシールを剥がして容器を開封した際、口部先端に残るシンナーシールの残り滓や残存接着剤による凹凸の存在にかかわらず、つまり平滑な面が存在しなくても、これには拘らず、確実で高い密封性の確保が可能になった。しかも、インナーリングは最初の使用の後、始めてキャッピングされてそのシール作用を発揮するものであるから、高い反発力を保って、一層高い密封性を発揮する。
【００１１】
更に、ダミーシールを採用することによって、インナーリングを工場生産時の清潔さを保ったままで、つまりバージンのままで保護されるので、極めて衛生的であり、しかも工場生産時のキャッピングには、このダミーシールがインナーシールに面で重合するので、その抵抗により、必要以上にキャップをねじ込み、インナーシールを不用意に損傷することが無く、不用意に密封性を阻害してしまうおそれもない。
このように、本発明によれば、初期シール時と、リユース（使用時）の両方で高い密封性を得ることが可能になった。
【００１２】
本発明は以上の構成において、請求項２に記載のように、キャップの天板の内面で、インナーリングの内側には、このインナーリングの突出寸法と同等若しくは長目に寸法設定されたダミーシールへの当りリブが設けられているのが望ましい。
インナーリング並びに当りリブ若しくは当りリブにダミーシールを介して回転抵抗力が負荷されると共に、インナーリング並びに当りリブ若しくは当りリブがダミーシールに当接してそれ以上の押し込み力が分散され、結果として必要以上のキャップの螺進が予防され、併せて過剰な螺進によってインナーシール並びにダミーシールの二つのシールが不用意に損傷され、密封性が阻害されるおそれもなくなるからである。また、インナーリングが当りリブよりも短い場合には、キャッピング時に先端先細りのインナーリングの先端で不測にダミーシールやインナーシールを損傷する事態をより一層的確に防止でき、また、キャップの回転抵抗を少なくできるので、望ましい。
【００１３】
また、請求項３に記載のように、キャップの周側壁内面には前記ダミーシールの係止突起が設けられるのが望ましい。
ダミーシールがキャップから不用意に離脱するのをうまく防止し、インナーリングの所期の高いバージン性を保持することができるからである。
【００１４】
また、請求項４に記載のように、容器口部の先端外周縁には、ダミーシールの周縁を係止するための係止出っ張りが形成されるのが望ましい。
最初の使用に当たって、キャップを外す動作に伴って、ダミーシールを自動的に、しかも簡便にキャップから離脱できるからである。この場合、前記キャップに設けられた係止突起によるダミーシールの係合力よりもこの係止出っ張りによる係合力の方が大きいか或いは同等程度である必要がある。しかし、例えばダミーシールの周縁部などにキャップから掻き出すための切欠きなどを設けても良く、この場合には両者の係合力の因果関係は無視できる。
【発明を実施するための最良の形態】
【００１５】
以下、発明を実施するための最良の形態を示す。しかし、本発明の範囲はかかる実施の形態に制限されるものではない。
【００１６】
本発明に係る包装用容器を化粧クリーム容器に適用した場合について以下説明する。
【００１７】
先ず、本発明の化粧クリーム容器１は、図１並びに図２に示すように、化粧クリームを収容する容器本体２を備え、その口部３の外周面３Ａに設けられた雄ねじ４にキャップ５をキャッピングできるようになっている。口部３の内周面３Ｂは凹凸のない平滑面に形成されている。
なお、図中６は、容器本体２の外周に一体に設けられる化粧用のスカート壁である。
【００１８】
この容器本体２の口部３の先端（上端）３Ｃにはインナーシール７がその周縁部で接着されて、容器本体２の内部の気密を保っている。このインナーシール７は、例えば従来から広く一般に採用されたものでよく、アルミや合成樹脂製のフイルム或いはこれらの積層フイルムで良い。内容物を容器本体２に収納した後に、口部３に被され、この口部３の先端３Ｃに、例えば高周波シールや適宜の接着剤を用いて接着される。
【００１９】
キャップ５には、その天板８の内面８Ａから下方に向かって一体にインナーリング９が突設されている。このインナーリング９は、図示するように、外周面の上下方向中間部分を外方に膨出させた後、下端に向かうにしたがって徐々に先細り状に形成され、前記口部３の内周面３Ｂにしっかりと密着する（図３、４参照）ような形状に形成されている。
【００２０】
また、キャップ５の内方にはダミーシール１０が装着されている。このダミーシール１０は比較的硬い剛性のある素材を用いている。具体的には、少なくとも曲率１２００Ｍｐａ以上、厚みは１．０ｍｍ以上であるのが望ましい。
【００２１】
キャップ５の内周壁１１で雌ねじ１２の上端よりもやや上方位置に、内方へ突設する突条からなる係止突起１３と、更にその上方、ダミーシール１０の厚み寸法を隔ててダミーシール１０の保持リブ１３Ａが夫々一体に設けられ、得られた凹入部１３Ｂで前記ダミーシール１０を支える。この保持リブ１３Ａのキャップ内方への張り出し寸法は、前記係止突起１３の１．５〜２．５倍程に設定されている。ダミーシール１０を的確に保持することと、下方への押圧力を的確に作用させるためである。これら係止突起１３並びに保持リブ１３Ａは、全周にわたって設けられても良く、図示するように断続的に設けられても良い。要するに、不用意な外力が付加されても、簡単にはキャップ５からこのダミーシール１０が離脱しない程度の係止が行えればよい。
【００２２】
また、前記インナーリング９の内側で、キャップ５の天板８の内面８Ａから下方に向かって一体に当りリブ１４が突設されている。この当りリブ１４は、インナーリング９の突出寸法と同等に設定されている。前記インナーリング９とこの当りリブ１４との突出寸法は、前記ダミーシール１０が前記係止突起１３に係止された状態にあるときに、丁度夫々の先端がダミーシール１０の天板内面８Ａ側の表面に当接するのが望ましい。それ以上の突出量であると、口部３にキャップ５を螺着したときにこのダミーシート１０を押し過ぎて、これを不用意に傷めるおそれがあるので、この不測の事態を未然に防止するためである。
【００２３】
また、前記容器本体２の口部３の外周面３Ａで、先端３Ｃから少し下位の位置にダミーシール１０の外周縁を下方に巻き込んで係止するための係止出っ張りの一例であるアンダーカット部１５が設けられている。キャップ５を最初に外して使用する際に、このアンダーカット部１５によってダミーシール１０をキャップ５から容易に離脱させて容器本体２の口部３側に止まらせるためである。したがって、前記キャップ５に設けられた前記凹入部１３Ｂによるダミーシール１０の係止力よりもこのアンダーカット部１５による係止力の方が大きいことが必要がある。
【００２４】
しかし、例えばダミーシール１０の周縁部などにキャップ５からこのダミーシール１０を掻き出すための切欠き（図外）などを設けても良く、この場合には両者の上記の係止力の因果関係は無視できる。
【００２５】
更に、前記インナーリング９の外側で、前記キャップ５の天板８の内面８Ａから下方に向かって一体に第二のインナーリング１６が突設されている。この第２のインナーリング１６は、消費者が最初にキャップ５を開けてインナーシール７とダミーシール１０とを取り除いた後に再びキャッピングするときに、つまりリユースの際に、口部３の先端３Ｃ上面に密着当接し、この口部３の先端３Ｃ上面のシールを行う。
【００２６】
以上のような容器本体２並びにキャップ５をもった化粧クリーム容器１は、先ず工場生産段階で、容器本体２内に化粧クリーム（図外）が充填され、口部３の先端３Ｃにインナーシール７が接着されて密封され、次いでダミーシール１０を前記凹入部１３Ｂで係止して内装したキャップ５がこの口部３に螺着される。このキャップ５の螺着によって、インナーシール７の上面にダミーシール１０が重合密着し、密封性を一層高める。
【００２７】
キャップ５の螺着度合いは、このインナーシール７の上面にダミーシールが密着する段階で停止される。キャップ５の螺着の終了段階ではインナーリング９並びに当りリブ１４に前記ダミーシール１０を介して回転抵抗力が負荷されると共に、これらインナーリング９並びに当りリブ１４がダミーシール１０に当接して、押し込み力が分散され、結果として必要以上のキャップ５の螺進が予防され、併せて過剰な螺進によって二つのシールが不用意に損傷され、密封性が阻害されるおそれがなくなる。
【００２８】
図１、２に示されるように、前記アンダーカット部１５にインナーシール７並びにダミーシール１０の外周縁を係止させるには、先ず、インナーシール７並びにダミーシール１０の径をキャップ５の内径よりも長い寸法に設定しておく。ダミーシール１０を、前記係止突起１３を超えて凹入部１３Ｂに位置合わせして嵌入保持させ、次いでキャップ５を上方から螺進させることによって、前記保持リブ１３Ａによってこのダミーシール１０そしてインナーシール７夫々の周縁部を係入させて係止することができる。つまり、インナーシール７を巻き込みながらキャッピングする。係止突起１３と保持リブ１３Ａによるアンダーカット（凹入部１３Ｂ）よりも、口部のアンダーカット１５の保持力のほうが強く構成されているので、最初に使用するとき、キャップ５を開栓すると、ダミーシール１０は容器本体２側に残ることになる。この容器本体２側に残ったダミーシール１０は、これを外す時にインナーシール７の端を共連れさせて、容易に捲くり上げ易く、インナーシール７を口部３から剥がす作業が容易になる。
【００２９】
尚、このアンダーカット部１５への折り込み係止される対象は、ダミーシール１０のみでも良く、逆にインナーシール７のみでも良い。インナーシール７のみの場合には、ダミーシール１０の直径をこのインナーシール７と同等或いはやや短くしておけば良い。
【００３０】
次に、この化粧クリーム容器１を開封するには、先ずキャップ５を開けて口部３を開放する。このとき、口部３上には、アンダーカット部１５の働きで、ダミーシール１０も残存することになる。したがって、このダミーシール１０共々インナーシール７を口部３から剥離する。
【００３１】
尚、ダミーシール１０のキャップ５の天板８側の表面に、例えば「捨てる」と印字することもできる。使用の便に供するためである。
【００３２】
剥離後の口部３の先端３Ｃにはこのインナーシール７や接着剤の残渣が付着していて、表面は凹凸があって平滑面ではない。この状態で、従来のように、パッキン材などを内装したキャップで封止しても、望ましい密封性を得ることは困難であった。しかし、本発明では、図３，４に示すように、インナーシール７や接着剤の残渣の影響を全く受けない口部３の内周面３Ｂにインナーリング９を嵌入して容器の封止を行うので、高い密封性が得られる。しかも、このインナーリング９は、消費者が初めて封止するまでは、ダミーシール１０で保護されて、大変衛生的に保たれる。しかも、消費者が初めて封止するときに初めてその反発力を作用させるものであるから、工場生産の段階からインナーリング９で容器を封止する従来のものとも違って、この反発力に経年劣化が見られない。したがって所期の望ましい高い反発力が得られ、高い密封性が得られる。併せて、第２インナーリング１６によって口部３の先端３Ｃがシールされるため、二重のシール効果が発揮され、一層高い密封性が発揮される。
【００３３】
このように、本発明に係る包装用容器では、初期シール（工場生産時から消費者の手に渡るまでの間のシール）時と使用時（リユース）のシールの両方で高い密封性を得ることができる。また、ダミーシール１０を採用することによって、特にインナーシール７に高品質の素材、機能を備えるものを採用しなくても初期の望ましい密封性が得られる。更には、初期シール時にインナーリング９を用いず、リユース時に初めてこれを使用するので、インナーリング９の高い反発力に伴う高い密封性が得られる。
【００３４】
次に、図５に示す構造は、インナーリング９の変形例を示し、その突出量を前記当りリブ１４の突出寸法よりも短くし、先端が常時ダミーシール１０のキャップ５の天板内面８Ａ側の表面から離間Ｌしているように構成している。一般にインナーリング９の先端は先細りに形成される場合が多いため、キャッピング時にその先端で不測にダミーシール１０やインナーシール７を損傷する事態をより一層的確に防止するためである。また、キャップ５の回転抵抗を少なくする上でも有用である。
【００３５】
尚、この変形例に示されるインナーリング９の前記離間Ｌする部位が周方向に所定間隔置きに設けられるものであっても良い。この場合、他の部位は、図１、２に示すように、ダミーシール１０の天板内面８Ａ側の表面に当接する長さ寸法に形成される。
【００３６】
また、図例では断面円形の容器を例示したが、その形状は円形のものに限定されることなく、方形、矩形、更には楕円形など種々の形状が採用される。また、インナーリング９の形状も図示されたものに限定されることなく、所期の密封性を高めるものであれば如何なる形状であっても良いことはいうまでもない。
【００３７】
更に、以上本発明の包装用容器は、化粧クリーム容器に採用した例を示したが、その他にも例えばコーヒーやアルコール成分を含むウエットティッシュ、化粧パフ、顔面パフ、更には成分を重要視する化粧水などの、開封する前も開封した後も高い密封性が必要な、特に開封する前には、アルミ構成フィルムで完全密封する必要性の高い内容物を収納するために採用される包装用容器にも適用できる。
【図面の簡単な説明】
【００３８】
【図１】本発明に係る包装用容器の実施例を示し、使用前の状態を一部を切欠いて断面表示した正面図である。
【図２】図１の要部の拡大断面図である。
【図３】使用後の状態を一部を切欠いて断面表示した正面図である。
【図４】図２の要部の拡大断面図である。
【図５】インナーリングの変形例を示す要部の拡大断面図である。
【符号の説明】
【００３９】
１…化粧クリーム容器
２…容器本体
３…口部
３Ｂ…内周面
３Ｃ…先端
５…キャップ
７…インナーシール
８…天板
９…インナーリング
１０…ダミーシール
１３…係止突起
１４…当りリブ
１５アンダーカット